(57)【要約】【課題】壁紙が照明器具に貼り付くのを回避して取扱性の向上を図ることができる照明器具を提供する。【解決手段】照明器具１０は、天井や壁などの設置面１に取り付けられ、器具本体１４の一部を設置面１に接触するように成形した器具姿勢安定用凸部１７の外表面に、シールテープ１９により撥水性の層を形成した。【選択図】図４
2010080205.tif 000002
【特許請求の範囲】
【請求項１】
天井や壁などの設置面に取り付けられる照明器具において、
器具本体の一部を前記設置面に接触するように成形した器具姿勢安定用凸部の外表面に、撥水性の層を形成したことを特徴とする照明器具。
【請求項２】
前記器具姿勢安定用凸部は、電源用穴を囲むように形成された環状凸部とし、その外表面に前記撥水性の層を形成したことを特徴とする請求項１記載の照明器具。
【請求項３】
前記器具姿勢安定用凸部は、前記環状凸部とその外側に位置する複数の点状凸部からなり、前記環状凸部と前記点状凸部の設置面方向への高さを同一とし、それらの外表面に前記撥水性の層を形成したことを特徴とする請求項１または２記載の照明器具。
【請求項４】
前記撥水性の層は、フッ素化合物であることを特徴とする請求項１〜３のいずれか１項記載の照明器具。
【発明の詳細な説明】
【技術分野】
【０００１】
本発明は、天井や壁などの設置面に取り付けられる照明器具に関する。
【背景技術】
【０００２】
従来の照明器具の一例として、器具本体の上面に、天井に突っ張る突っ張り部材を設けて、器具本体とともに突っ張り部材を天井に接触させて固定するようにしたものが知られている（例えば、特許文献１参照）。
【０００３】
【特許文献１】特開２００６−１４７２０８号公報（図２、段落番号０００８）
【発明の開示】
【発明が解決しようとする課題】
【０００４】
ところで、天井に貼り付けられる天井クロスとしては、塩化ビニル系クロス（塩ビクロス）などの壁紙が多く用いられている。
しかし、上記特許文献１に開示された照明器具のように、器具本体が天井に密着する場合、使用時の温度や湿度、圧力等の要因により軟化した壁紙の成分が、器具本体と天井クロスが密着している箇所、すなわち突っ張り部材に強固に貼り付く現象が起こることがありうる。
この状態で、照明器具を天井から取り外すに際し、本体止めねじを外しても、照明器具が天井に貼りついたまま外れない場合があり、そのまま放置すると自重で落下する虞がある。
また、貼りついたままの状態で照明器具を無理に外そうとして力を加えると、天井クロスが剥がれる虞がある。
このように、天井クロス（塩化ビニル系）が照明器具に貼り付く原理は以下の通りである。天井クロスの表面には、通常、模様を形成するために凹凸加工がなされている。簡易取付型の照明器具は、この天井クロスに器具本体の一部が密着するように設置される。一般的な照明器具本体は金属製であり、表面は塗装されて滑らかな面を形成している。
従って、設置された当初は、天井クロスと照明器具本体に無数の空気層が存在した状態となっている。しかし、長期使用による温度上昇や圧力、湿度環境等の要因により、天井クロスの成分が軟化し、粘着力を持つとともに照明器具本体との空気層を埋め尽くし、強く密着した状態となる。そのため、この状態で照明器具を無理に外そうとして力を加えると、天井クロスが剥がれることとなる。
【０００５】
本発明は、前述した課題を解決するためになされたもので、その目的は、壁紙が照明器具に貼り付くのを回避して取扱性の向上を図ることができる照明器具を提供することにある。
【課題を解決するための手段】
【０００６】
本発明に係る照明器具は、天井や壁などの設置面に取り付けられる照明器具において、器具本体の一部を前記設置面に接触するように成形した器具姿勢安定用凸部の外表面に、撥水性の層を形成したことを特徴とする。
【０００７】
本発明においては、設置面に設置することにより、設置面に貼り付けられている壁紙に当接した当初、器具姿勢安定用凸部は撥水性の層に伴う微細な凹凸面を介して壁紙に当接する。壁紙は長期使用による温度上昇や圧力、湿度環境等の要因により、その成分が軟化して粘着力を持つようになる。しかし、撥水性の層は保持されて、壁紙が軟化したとしても微細な凹凸面は維持される。
よって、軟化した壁紙を器具本体に付着させることがなくなって取扱性の向上を図ることができる。
【０００８】
本発明に係る照明器具は、前記器具姿勢安定用凸部は、電源用穴を囲むように形成された環状凸部とし、その外表面に前記撥水性の層を形成したことを特徴とする。
【０００９】
本発明においては、電源用穴を囲むように形成された環状凸部形状の器具姿勢安定用凸部の外表面に撥水性の層を形成したことにより、設置面と器具本体との間に、例えば虫等が通過する隙間を形成しない。
よって、電源用穴からの虫等の侵入を防止することができる。
【００１０】
本発明に係る照明器具は、前記器具姿勢安定用凸部は、前記環状凸部とその外側に位置する複数の点状凸部からなり、前記環状凸部と前記点状凸部との設置面方向への高さを同一とし、それらの外表面に前記撥水性の層を形成したことを特徴とする。
【００１１】
本発明においては、設置面に設置することにより、設置面に貼り付けられている壁紙に当接した当初、環状凸部および点状凸部形状をなす器具姿勢安定用凸部は撥水性の層に伴う微細な凹凸面を介して壁紙に当接する。壁紙は長期使用による温度上昇や圧力、湿度環境等の要因により、その成分が軟化して粘着力を持つようになる。しかし、撥水性の層は保持されて、壁紙が軟化したとしても微細な凹凸面は維持される。
よって、軟化した壁紙を器具本体に付着させることがなくなって取扱性の向上を図ることができる。
【００１２】
本発明においては、器具姿勢安定用凸部が、環状凸部とその外側に位置する複数の点状凸部からなり、それらに撥水性の層を形成しているために、設置面に安定的に取り付けることができる。
【００１３】
本発明に係る照明器具は、前記撥水性の層は、フッ素化合物であることを特徴とする。
【００１４】
本発明においては、撥水性の層がフッ素化合物であるために、優れた非粘着性および撥水性を有して凹凸面を長期的に維持することができる。
【発明の効果】
【００１５】
本発明の照明器具によれば、器具本体の一部を前記設置面と接触するように成形した器具姿勢安定用凸部の外表面に、撥水性の層を形成した。
これにより、壁紙が照明器具に貼り付くのを回避して取扱性の向上を図ることができるという効果を有する。
【発明を実施するための最良の形態】
【００１６】
以下、本発明の複数の実施形態に係る照明器具について、図面を参照して説明する。
【００１７】
（第１実施形態）
図１、図２（Ａ），（Ｂ）に示すように、本発明の第１実施形態である照明器具１０は、点灯回路を内装した反射板１１と、サークラインである環状一対のランプ１２と、カバー１３と、反射板１１、ランプ１２およびカバー１３を取り付けて保持する器具本体１４と、を備える簡易取付方式である。
【００１８】
照明器具１０は、天井面１に取付けられた取付金具２に組み付け、器具本体１４に有するだるま穴１５を介して本体止めねじ３をドライバー４等の治具を使って締め付けることにより天井面１に固定される。
【００１９】
図３にも示すように、器具本体１４は、亜鉛鋼板等の金属製板部材をプレス加工して成形した後に塗装を施してある。器具本体１４の中央部には、配線器具２ａを通すための電源用穴１６と、本体止めねじ３を留めるためのだるま穴１５とを設けている。
なお、器具本体１４は、器具全体の形状を維持するため設置時に変形量が少ない材質が好ましく、例えば樹脂成型品等を適用しても良い。
【００２０】
器具本体１４は、電源用穴１６とだるま穴１５とを囲むように、環状凸部形状をなす第１器具姿勢安定用凸部１７を天井面１に向けて突出形成しており、第１器具姿勢安定用凸部１７を中心として放射状に複数配置された補強リブ１８を天井面１に向けて突出形成している。
【００２１】
器具本体１４は、第１器具姿勢安定用凸部１７の天井面１側の上面の頂上に沿って、第１器具姿勢安定用凸部１７に相似形状になるようにテフロン（登録商標）（フッ素樹脂（４フッ化エチレン樹脂等））のシールテープ１９を貼り付けている。
【００２２】
なお、シールテープ１９のテフロン分子構造は、以下の原子式のようになっており、炭素原子をフッ素原子が隙間なく埋め尽くしており、非常に微細な凹凸をもった表面になる。
【００２３】
【化１】
2010080205.tif 000003
【００２４】
図４にも示すように、シールテープ１９は、照明器具１０を天井面１に設置した際に、天井面１の下面すなわち居住空間側に貼り付けられている天井クロス５に当接する。
【００２５】
シールテープ１９は、照明器具１０を天井面１に設置することにより天井クロス５に当接した当初、天井クロス５との間に撥水性の層を介して天井クロス５に当接する。
【００２６】
天井クロス５は長期使用による温度上昇や圧力、湿度環境等の要因により、その成分が軟化して粘着力を持つようになる。
【００２７】
しかし、壁紙が軟化したとしてもシールテープ１９の材質特性、すなわち撥水性、非粘着性等により、器具本体１４の第１器具姿勢安定用凸部１７に、軟化した天井クロス５の材質を付着させることがない。
【００２８】
シールテープ１９としては、撥水性の層を形成するものとして、テフロン塗装や類似するフッ素化合物を介在させることでも同様の効果が得られることは言うまでもない。
【００２９】
なお、撥水性を高める考え方としては、Wenzelの理論とCassieの理論の２つが挙げられる。
【００３０】
Wenzelの理論によると、粗さなどによる微細な凹凸がある面では，平滑面の場合に比べて実質的な表面積が大きいため、ぬれに伴う表面エネルギーの変化が強調される。すなわち、それほど撥水性の高くない材質でも、微細な凹凸で実質的な表面積を増やせば、強い撥水性を示すこととなる。
【００３１】
一方、Cassieの理論によると、ぬれ性の異なる領域が混在する複合表面では接触角が大きくなる（水をはじきやすい）と解釈できる。すなわち、空隙に空気がトラップされた微細な凹凸表面は、空気と固体の複合表面と見なせるため、高い撥水性を持つこととなる。
【００３２】
例えば、蓮の葉などは、水滴を球に近い形ではじくほどの高い撥水性をもっている。これは、油脂など疎水性の被膜を有するほか、数十μm間隔の微細な突起で表面が覆われていることにより撥水性が強化されていることがわかっている。したがって、特に強い撥水性を持たない通常の塗装表面でも、数十μm以下の間隔の微細な凹凸を設ければ、水をはじく効果が高くなり、軟化した壁紙が貼りつきにくくなる。
【００３３】
これらの理論によれば、撥水性を高める構造の条件は、
（１）微小な凹凸による表面積増加率が大きいこと
（２）空気をトラップする空隙の面積割合が大きいこと
のいずれかということになる（松本壮平（産業技術総合研究所)ニューズレター２００１年１０月号より引用）。
【００３４】
したがって、第１器具姿勢安定用凸部１７に、突起間隔が数十μm以下の微細な凹凸の層を形成し、そこに撥水性を持つテフロン塗装等を施すことにより、天井クロス５の張りつき防止に対してより高い効果を発揮することができる。
【００３５】
本実施形態では、天井面１に設置することにより、天井面１に貼り付けられている天井クロス５に当接した当初、シールテープ１９の撥水性、非粘着性等の材質特性に併せて、第１器具姿勢安定用凸部１７はシールテープ１９の微細な凹凸面を介して天井クロス５に当接する。天井クロス５は長期使用による温度上昇や圧力、湿度環境等の要因により、その成分が軟化して粘着力を持つようになる。しかし、撥水性の層は保持される。
これにより、天井クロス５が軟化したとしても微細な凹凸面は維持される。
よって、軟化した天井クロス５を器具本体１４に付着させることがなくなって取扱性の向上を図ることができる。
【００３６】
本実施形態では、電源用穴１６を囲むように形成された第１器具姿勢安定用凸部１７の外表面にシールテープ１９による撥水性の層を形成したことにより、天井クロス５と器具本体１４との間に、例えば虫等が通過する隙間を形成しない。
よって、電源用穴からの虫等の侵入を防止することができる。
【００３７】
本実施形態では、シールテープ１９による撥水性の層がフッ素化合物であるために、優れた非粘着性および撥水性を有して凹凸面を長期的に維持することができる。
【００３８】
（第２実施形態）
次に、本発明の第２実施形態に係る照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３９】
図５に示すように、本発明の第２実施形態である照明器具３０は、器具本体１４の中央部の上面に、電源用穴１６を囲むようにスポンジパッキン３１を組み付けており、スポンジパッキン３１の周りの器具本体１４の外周側に、複数の点状凸部形状をなす第２器具姿勢安定用凸部３２を天井面１に向けて突出形成している。
【００４０】
第２器具姿勢安定用凸部３２は、スポンジパッキン３１が天井面１と器具本体１４の隙間を素材の収縮により塞ぎ、天井面１に対して比較的弱い圧力でも防虫効果を発揮できるが、クッション特性により器具本体１４の姿勢が安定しにくくなるのを補正する。
【００４１】
器具本体１４は、第２器具姿勢安定用凸部３２の天井面１側の上面に、円板形状のシールテープ３３を貼り付けている。
【００４２】
図６にも示すように、第２器具姿勢安定用凸部３２の上面に配置されたシールテープ３３は、照明器具３０を天井面１に設置した際に、天井面１の天井クロス５に当接する。
【００４３】
本実施形態では、長期使用による温度上昇や圧力、湿度環境等の要因により、天井クロス５の成分が軟化して粘着力を持つようになる。しかし、シールテープ３３は、天井クロス５が軟化したとしても微細な凹凸面を維持する。
よって、器具本体１４の第２器具姿勢安定用凸部３２に、軟化した天井クロス５の材質を付着させることがない。
【００４４】
（第３実施形態）
次に、本発明の第３実施形態に係る照明器具について説明する。
【００４５】
図７に示すように、本発明の第３実施形態である照明器具４０は、器具本体１４の中央部の上面に、電源用穴１６とだるま穴１５とを囲むように環状凸部形状をなす第１器具姿勢安定用凸部４１を天井面１に向けて突出形成している。
【００４６】
照明器具４０は、器具本体１４の外周側に点状凸部形状をなす複数の第２器具姿勢安定用凸部４２と、第１器具姿勢安定用凸部４１と第２器具姿勢安定用凸部４２との間に点状凸部形状をなす複数の第３器具姿勢安定用凸部４３と、を天井面１に向けて突出形成している。
【００４７】
器具本体１４は、第１器具姿勢安定用凸部４１の天井面１側の上面の頂上に沿って、第１器具姿勢安定用凸部４１に相似形状になるようにシールテープ４４を貼り付けている。
【００４８】
そして、器具本体１４は、第２器具姿勢安定用凸部４２の天井面１側の上面に、円板形状のシールテープ４５を貼り付けている。同様にして、器具本体１４は、第３器具姿勢安定用凸部４３の天井面１側の上面に、円板形状のシールテープ４６を貼り付けている。
【００４９】
図８も示すように、第１器具姿勢安定用凸部４１のシールテープ４４と、第２器具姿勢安定用凸部４２のシールテープ４５と、第３器具姿勢安定用凸部４３のシールテープ４６とは、同一面を形成する。各シールテープ４４，４５，４６は、照明器具４０を天井面１に設置した際に、天井面１の天井クロス５にそれぞれ当接する。
よって、器具本体１４の姿勢を安定的に支持する。
【００５０】
本実施形態では、長期使用による温度上昇や圧力、湿度環境等の要因により、天井クロス５の成分が軟化して粘着力を持つようになる。しかし、各シールテープ４４，４５，４６は、天井クロス５が軟化したとしても微細な凹凸面を維持する。
よって、器具本体１４の第１器具姿勢安定用凸部４１、第２器具姿勢安定用凸部４２および第３器具姿勢安定用凸部４３に、軟化した天井クロス５の材質を付着させることがない。
【００５１】
本実施形態では、環状凸部形状の第１器具姿勢安定用凸部４１と、点状凸部形状をなす複数の第２器具姿勢安定用凸部４２と、点状凸部形状をなす複数の第３器具姿勢安定用凸部４３とに、シールテープ４４，４５，４６による撥水性の層を形成しているために、天井面１に安定的に取り付けることができる。
【００５２】
なお、前記各実施形態で使用した反射板１１、ランプ１２、カバー１３は例示したものに限定するものではなく適宜変更が可能である。
【図面の簡単な説明】
【００５３】
【図１】本発明に係る第１実施形態の照明器具の下方から視た分解斜視図
【図２】（Ａ），（Ｂ）は図１に示した照明器具の天井面との固定部分のそれぞれ部分外観斜視図
【図３】図１に示した照明器具の器具本体の一部破断平面図
【図４】図３に示した照明器具の垂直断面図
【図５】本発明に係る第２実施形態の照明器具の器具本体を上方から視た分解斜視図
【図６】図５に示した照明器具の垂直断面図
【図７】本発明に係る第３実施形態の照明器具の器具本体を上方から視た分解斜視図
【図８】図７に示した照明器具の垂直断面図
【符号の説明】
【００５４】
１  （天井面）設置面
５  天井クロス（壁紙）
１０、３０、４０  照明器具
１４  器具本体
１６  電源用穴
１７、４１  第１器具姿勢安定用凸部（器具姿勢安定用凸部）（環状凸部）
１９、３３、４４、４５、４６  シールテープ
３２、４２、４３  第２器具姿勢安定用凸部（器具姿勢安定用凸部）（点状凸部）
【図１】
2010080205.tif 000004
【図２】
2010080205.tif 000005
【図３】
2010080205.tif 000006
【図４】
2010080205.tif 000007
【図５】
2010080205.tif 000008
【図６】
2010080205.tif 000009
【図７】
2010080205.tif 000010
【図８】
2010080205.tif 000011